(57)【特許請求の範囲】
【請求項１】
表示体を備えたキーケースであり、軸として回転する線状もしくは棒状の回転体がキーケースを貫通し、該回転体の両端に帯状の該表示体の両端が全体が環状をなすようにつながっており、該表示体は第一の面と第二の面との外観上の区別がなされており、該第一の面と該第二の面との相互の反転が自在で、該第一の面に家内安全喚起要素を、該第二の面に施錠確認要素を有することを特徴とする、キーケース。
【請求項２】
表示体を備えたキーホルダーであり、共通の軸により回転する左右一対の結束体に帯状の該表示体の両端が全体が環状をなすようにつながり、左右の該結束体の間に配置された支持体がキーと連結する連結体とつながっており、該表示体は第一の面と第二の面との外観上の区別がなされており、該第一の面と該第二の面との相互の反転が自在で、該第一の面に家内安全喚起要素を、該第二の面に施錠確認要素を有することを特徴とする、キーホルダー。
【発明の詳細な説明】
【技術分野】
【０００１】
施錠及び家内安全確認機能に関する
【背景技術】
【０００２】
特許文献１によると、表示部分を有する施錠確認装置である点において、本発明と類似する。
【０００３】
特許文献１では、施錠確認信号発生手段が発生させる施錠確認信号を電子的に制御して施錠確認機能を実現している。一方、本発明は指先を使って環状の表示体を反転させることによって施錠確認をおこなう。そのため特許文献１と本発明は、施錠確認のための態様、手段、方法において異なる。
【０００４】
特許文献２によると、表示部分を備え施錠確認機能を有する点において、本発明と類似する。
【０００５】
特許文献２では、ノック式機構を使い、着色部その他のマークを設けて施錠確認機能を実現している。一方、本発明は指先を使って環状の表示体を反転させることによって施錠確認をおこなう。そのため特許文献２と本発明は、施錠確認のための態様、手段、方法において異なる。
【０００６】
特許文献３によると、施錠時に操作し、施錠確認を表示する施錠確認器具である点において、本発明と類似する。
【０００７】
特許文献３では、施錠スイッチと開錠スイッチを設けて電子制御により施錠確認機能を実現している。一方、本発明は指先を使って環状の表示体を反転させることによって施錠確認をおこなう。そのため特許文献３と本願発明は、施錠確認のための態様、手段、方法において異なる。
【０００８】
特許文献４によると、施錠と防火に関して手動にて操作し、施錠および防火確認を表示する施錠等確認器具である点において、本発明と類似する。
【０００９】
特許文献４では、平板の部材を用いスライド式ツマミにより施錠確認と防火確認の機能を実現している。一方、本発明は指先を使って環状の表示体を反転させることによって施錠確認及び家内安全の確認をおこなう。そのため特許文献４と本願発明は、施錠確認のための態様、手段、方法において異なる。
【先行技術文献】
【特許文献】
【００１０】
【特許文献１】特開２００１−２８８９３９公報（第２頁、第９頁）
【特許文献２】特開２００７−３０９０８６公報（第２頁、第３頁）
【特許文献３】特開２００８−４５３４３公報（第２頁、第３頁）
【特許文献４】特開２００９−１６５７９７公報（第２頁、第３頁）
【発明の概要】
【発明が解決しようとする課題】
【００１１】
自宅から外出した際に、玄関の施錠が済んでいるか否か出先で心配になった場合、その確認に困ることがあり、場合によっては、心配の余り外出先から引き返して施錠確認することになる。
【００１２】
また、玄関の施錠の心配に加えて、外出中には家内安全の対象としてガスの止め忘れ、電気の消し忘れ、窓の戸締り忘れなどが心配になることがある。
【００１３】
従来の施錠等の確認表示器具による確認表示は、確認表示器具の正面の確認表示位置でなされる。そのため、確認表示器具を取り出し、それを正面で判読するなどして確認する必要がある。
【００１４】
また、従来の施錠等の確認表示器具の表示体は表示するこを唯一の機能としており、表示以外に機能することはない。
【００１５】
本発明は、上記課題を一括して解決できる施錠及び家内安全確認機能を有するキーケース、キーホルダーを提供することを目的としている。
【課題を解決するための手段】
【００１６】
上記課題を解決するために、請求項１の発明は、表示体を備えたキーケースであり、軸として回転する線状もしくは棒状の回転体がキーケースを貫通し、該回転体の両端に帯状の該表示体の両端が全体が環状をなすようにつながっており、該表示体は第一の面と第二の面との外観上の区別がなされており、該第一の面と該第二の面との相互の反転が自在で、該第一の面に家内安全喚起要素を、該第二の面に施錠確認要素を有することを要旨とする。
【００１７】
上記課題を解決するために、請求項２の発明は、表示体を備えたキーホルダーであり、共通の軸により回転する左右一対の結束体に帯状の該表示体の両端が全体が環状をなすようにつながり、左右の該結束体の間に配置された支持体がキーと連結する連結体とつながっており、該表示体は第一の面と第二の面との外観上の区別がなされており、該第一の面と該第二の面との相互の反転が自在で、該第一の面に家内安全喚起要素を、該第二の面に施錠確認要素を有することを要旨とする。
【発明の効果】
【００１８】
本発明は、外出先で玄関の施錠の確認及びの室内安全の確認ができる。
【００１９】
本発明は、外出の際にガスを止め忘れたり、電気を消し忘れたり、戸締りを忘れないよう注意喚起し、内心で最終の安全確認ができる。
【００２０】
本発明は、表示体を任意の方向から、一瞥して施錠及び家内安全に関する状態を判別できる。
【００２１】
本発明は、表示体が表示機能のほかに収納用に懸架機能を提供することができる。
【図面の簡単な説明】
【００２２】
【図１】本発明に係り、施錠及び家内安全確認機能を備えたキーケースの一例を示す正面図（表示体反転前）である。
【図２】上記例の正面図（表示体反転後）である。
【図３】上記例の上面図である。
【図４】上記例の懸架式収納図である。
【図５】本発明に係り、施錠及び家内安全確認機能を備えたキーホルダーの一例を示す正面図（表示体反転前）である。
【図６】上記例の側面図である。
【図７】上記例の上面図である。
【発明を実施するための形態】
【００２３】
以下、本発明について図面を参照して詳細に説明する。なお、この実施の形態によりこの発明が限定されるものではない。
【００２４】
図１は、施錠及び家内安全確認機能を備えたキーケースの正面図である。表示体２０が孔１１の位置で結束部１３とつながっている。
【００２５】
図１によると、柔軟な素材でできた表示体２０は表示体第一の面２０Ａを呈しており、黒色の表面に家内安全措置対象２１としてガス、電気、戸締りをイラストと文字で例示している。
【００２６】
玄関の施錠時に表示体２０は指先６０により輪の外側を内側に捻じ曲げて、くるりと反転される。結束部１３につながって、キーケース１０の内部を貫通している回転体が孔１１の内側で回転することで、表示体２０の反転が実現される。
【００２７】
施錠者は表示体２０を反転させる際、家内安全措置対象２１を必然的に施錠者に目視することになり、ガス、電気、戸締りについて注意喚起がなされる。
【００２８】
あるいは、安心して外出するために、意識的に家内安全措置対象２１を参照することによって、内心で最終の安全確認を行う。
【００２９】
図２は、施錠及び家内安全確認機能を備えたキーケースの表示体２０が反転された正面図である。表示体２０が反転されて表示体第二の面２０Ｂを呈している。
【００３０】
図２に示されている「施錠完了」は、玄関の施錠が完了していることを意味する。また、家内安全措置対象２１について内心の最終確認を経た「施錠完了」は、玄関の施錠の確認と併せてその他の家内安全措置の最終確認が済んでいるという二重の安心の証となる。
【００３１】
表示体２０は表示体第一の面２０Ａと表示体第二の面２０Ｂが色分けされており、図２に示されている「施錠完了」は例示として白色の地に記述されている。したがって安全確認のためには、キーケース１０を鞄やポケットから取り出すなどして、表示体２０の地の白色を確認すれば事足り、施錠完了の記述を判読するまでもない。
【００３２】
加えて、表示体２０は環状の立体であることから、いずれの方向からでも表面を確認することが可能である。
【００３３】
図３は、施錠及び家内安全確認機能を備えたキーケースの上面図である。回転体１２がキーケース１０の内部を貫通して結束部１３により表示体２０とつながっている。表示体２０は全体として環状をなしている。
【００３４】
図４は、施錠及び家内安全確認機能を備えたキーケース１０が、表示体２０を収納具として利用し壁面７１にあるフック７０に掛けて保管されている状態を示している。
【００３５】
施錠確認を行う器具は、開錠時に「施錠状態」を解除することがすべからく必要であり、図２が示すように、保管時に斯かる懸架状態にあるときは、「施錠状態」を解除された状態を表す表示体第一の面２０Ａを残留保管時に目視にて確認することが可能である。
【００３６】
表示体２０の表示機能は屋外持ち出し時に機能を果たし、かつ、懸架機能は屋内残留時に機能を果たす。そのため、表示体２０は屋外、屋内、共に有効である。
【００３７】
このように、表示体２０は、表示機能、懸架機能と、反転して施錠状態を表すように操作される被操作機能との、３機能を併備している。
【００３８】
図５は、施錠及び家内安全確認機能を備えたキーホルダーの正面図である。結束体４３上にある結束部１３で表示体２０がつながっている。表示体第一の面２０Ａにはガス、電気、戸締りのイラストが例示されている。平板の支持体４２は結束体４３をつなぐ軸により貫通されており、キーと連結する連結体４１とつながっている。
【００３９】
図６は、施錠及び家内安全確認機能を備えたキーホルダーの側面図である。軸４４により内部を貫通された平板の支持体４２はリング状の連結体４１とつながっている。表示体２０は結束体４３と結束部１３で、全体が環状をなすようにつながっている。
【００４０】
図７は、施錠及び家内安全確認機能を備えたキーホルダーの上面図である。軸４４は平板の支持体４２を間に配置してＤ文字型をした結束体４３を左右につないでいる。結束体４３は軸４４を軸として回転が可能で、結束部１３で表示体２０とつながっている。尚、結束部１３は結束体４３上での移動が可能となっており、表示体２０と結束体４３とは柔軟に接続されている。
【００４１】
回転支持具４０は支持体４２と結束体４３と軸４４とから構成されており、これをキーケース１０に用いることが可能である。その場合、軸４４をキーケース１０の孔１１に通し、左右の結束体４３でキーケース１０の本体を挟むこととなる。尚、支持体４２は必ずしも要しない。
【産業上の利用可能性】
【００４２】
本発明は簡素な仕組みで施錠及び家内安全確認機能を実現できるため、高齢社会において有効でひろく利用される可能性がある。
【符号の説明】
【００４３】
１０  キーケース
１１  孔
１２  回転体
１３  結束部
２０  表示体
２０Ａ  表示体第一の面
２０Ｂ  表示体第二の面
２１  家内安全措置対象
３０  キーホルダー
４０  回転支持具
４１  連結体
４２  支持体
４３  結束体
４４  軸
５０  キー
６０  指先
70  収納用フック
７１  壁面
【要約】
【課題】自宅から外出した際に、玄関の施錠がはたして行われたか否か確認に困ることがあり、加えて、ガスの止め忘れ、電気の消し忘れ、窓の戸締り忘れなどが心配になることがある。施錠及び家内安全確認を簡素で、便利な仕組みにより実現すること。
【解決手段】自在に反転できる柔軟な環状の表示体によって実現される施錠及び家内安全確認機能を備えたキーケース、キーホルダーを提供する。
【選択図】図１【図１】
0005792912.tif 000002
【図２】
0005792912.tif 000003
【図３】
0005792912.tif 000004
【図４】
0005792912.tif 000005
【図５】
0005792912.tif 000006
【図６】
0005792912.tif 000007
【図７】
0005792912.tif 000008